(57)【特許請求の範囲】
【請求項１】
庇本体と、該庇本体を建物の外壁部分に接続するための第１連結支持機構及び第２連結支持機構とを備えており、
前記第１連結支持機構が、前記庇本体に固着した第１ブラケットと、前記建物の外壁部分に固着される第２ブラケットと、一端を前記第１ブラケットに、他端を前記第２ブラケットにそれぞれ、前記庇本体の幅方向に延びる回動軸線周りに回動自在に接続して設けられる連結部材とを備え、
前記第２連結支持機構が、前記建物の外壁部分に固着される第３ブラケットと、前記庇本体の後端側を前記第３ブラケットに接続する連結手段とを備えており、
前記第３ブラケットにボルト挿通孔及び該ボルト挿通孔に連通して前記第３ブラケットに固着したナットが設けられ、且つ前記庇本体の後端側にボルト挿通孔が設けられ、
且つ、前記庇本体が中空構造で形成され、
前記庇本体の後端側の天板部にボルト挿通孔が形成されるとともに庇本体の後端側の底板部に開口部が形成され、
前記底板部に着脱可能に設けられて前記開口部を開閉する蓋部材を備えており、
前記蓋部材を外して開口した前記開口部を通じて前記連結手段の連結ボルトが前記庇本体のボルト挿通孔から前記第３ブラケットのボルト挿通孔に挿通されて前記ナットに締結されて前記庇本体の後端側が前記第３ブラケットに接続され、この状態で、前記蓋部材で前記開口部が閉塞されて前記連結ボルトが前記庇本体の中空部内に納められていることを特徴とする庇。
【請求項２】
請求項１記載の庇において、
前記連結部材が伸縮自在でその長さが調整可能に構成されていることを特徴とする庇。
【請求項３】
請求項１または請求項２に記載の庇において、
前記第３ブラケットに当接して建物の外壁に沿う前記庇本体の横方向の位置を規定する位置決め部材が前記庇本体に一体に設けられていることを特徴とする庇。
【請求項４】
請求項１から請求項３のいずれか一項に記載の庇を建物の外壁部分に取り付ける庇の施工方法であって、
前記建物の外壁部分に形成された開口部を通じて屋内側から外側に作業台を張り出して配設し、
前記庇を吊り下げつつ所定位置に搬送し、
前記作業台上の作業者によって、前記建物の外壁部分に前記第１連結支持機構の前記第２ブラケットと前記第２連結支持機構の前記第３ブラケットを取り付け、
且つ、前記庇本体を回動させて所定位置に配設し、前記庇本体の後端側を前記第２連結支持機構の前記連結手段によって前記第３ブラケットに接続し、
前記第１連結支持機構で前記庇本体を支持させつつ回動させ、前記庇本体を前記建物の外壁部分の所定位置に配設するとともに、
前記蓋部材を外し、前記開口部から前記連結ボルトを前記ナットに締結して前記庇本体の後端側を前記第２連結支持機構の前記第３ブラケットに接続し、前記第１連結支持機構と前記第２連結支持機構で前記庇本体を支持させて前記庇を前記建物の外壁部分の所定位置に取り付け、この状態で、前記蓋部材で前記開口部を閉塞して前記連結ボルトを前記庇本体の中空部内に納めることを特徴とする庇の施工方法。
【発明の詳細な説明】
【技術分野】
【０００１】
本発明は、庇及び庇の施工方法に関する。
【背景技術】
【０００２】
従来、例えば多層構造の建物の外壁部分に庇を取り付ける際には、外部足場やゴンドラ足場などを用いている（例えば、特許文献１、特許文献２、特許文献３、特許文献４参照）。
【先行技術文献】
【特許文献】
【０００３】
【特許文献１】特開２００４−３１８６号公報
【特許文献２】特開平０６−１７３４３７号公報
【特許文献３】特開平０２−３５１６７号公報
【特許文献４】特開平１０−２５８８７号公報
【発明の概要】
【発明が解決しようとする課題】
【０００４】
しかしながら、庇の取り付け作業に外部足場やゴンドラ足場を用いる場合には、この足場の設置に多大な労力やコストが必要になる。また、敷地境界などの関係で外部足場やゴンドラ足場を設置することができないケースもある。
【０００５】
本発明は、上記事情に鑑み、効率的且つ経済的に庇の取り付けを行うことを可能にする庇及び庇の施工方法を提供することを目的とする。
【課題を解決するための手段】
【０００６】
上記の目的を達するために、この発明は以下の手段を提供している。
【０００７】
本発明の庇は、庇本体と、該庇本体を建物の外壁部分に接続するための第１連結支持機構及び第２連結支持機構とを備えており、前記第１連結支持機構が、前記庇本体に固着した第１ブラケットと、前記建物の外壁部分に固着される第２ブラケットと、一端を前記第１ブラケットに、他端を前記第２ブラケットにそれぞれ、前記庇本体の幅方向に延びる回動軸線周りに回動自在に接続して設けられる連結部材とを備え、前記第２連結支持機構が、前記建物の外壁部分に固着される第３ブラケットと、前記庇本体の後端側を前記第３ブラケットに接続する連結手段とを備えており、前記第３ブラケットにボルト挿通孔及び該ボルト挿通孔に連通して前記第３ブラケットに固着したナットが設けられ、且つ前記庇本体の後端側にボルト挿通孔が設けられ、且つ、前記庇本体が中空構造で形成され、前記庇本体の後端側の天板部にボルト挿通孔が形成されるとともに庇本体の後端側の底板部に開口部が形成され、前記底板部に着脱可能に設けられて前記開口部を開閉する蓋部材を備えており、前記蓋部材を外して開口した前記開口部を通じて前記連結手段の連結ボルトが前記庇本体のボルト挿通孔から前記第３ブラケットのボルト挿通孔に挿通されて前記ナットに締結されて前記庇本体の後端側が前記第３ブラケットに接続され、この状態で、前記蓋部材で前記開口部が閉塞されて前記連結ボルトが前記庇本体の中空部内に納められていることを特徴とする。
【０００８】
また、本発明の庇においては、前記連結部材が伸縮自在でその長さが調整可能に構成されていることが望ましい。
【００１１】
さらに、本発明の庇においては、前記第３ブラケットに当接して建物の外壁に沿う前記庇本体の横方向の位置を規定する位置決め部材が前記庇本体に一体に設けられていることが望ましい。
【００１２】
本発明の庇の施工方法は、上記のいずれかに記載の庇を建物の外壁部分に取り付ける庇の施工方法であって、前記建物の外壁部分に形成された開口部を通じて屋内側から外側に作業台を張り出して配設し、前記庇を吊り下げつつ所定位置に搬送し、前記作業台上の作業者によって、前記建物の外壁部分に前記第１連結支持機構の前記第２ブラケットと前記第２連結支持機構の前記第３ブラケットを取り付け、且つ、前記庇本体を回動させて所定位置に配設し、前記庇本体の後端側を前記第２連結支持機構の前記連結手段によって前記第３ブラケットに接続し、前記第１連結支持機構で前記庇本体を支持させつつ回動させ、前記庇本体を前記建物の外壁部分の所定位置に配設するとともに、前記蓋部材を外し、前記開口部から前記連結ボルトを前記ナットに締結して前記庇本体の後端側を前記第２連結支持機構の前記第３ブラケットに接続し、前記第１連結支持機構と前記第２連結支持機構で前記庇本体を支持させて前記庇を前記建物の外壁部分の所定位置に取り付け、この状態で、前記蓋部材で前記開口部を閉塞して前記連結ボルトを前記庇本体の中空部内に納めることを特徴とする。
【発明の効果】
【００１３】
本発明の庇及び庇の施工方法においては、庇本体に一体に設けた第１ブラケット、建物の外壁部分に固着する第２ブラケット、第１ブラケット及び第２ブラケットに回動自在に接続される連結部材を有してなる第１連結支持機構と、建物の外壁部分に固着する第３ブラケット、この第３ブラケットに庇本体の後端側を接続する連結手段を有してなる第２連結支持機構とを備えて庇が構成されているため、建物の窓等の開口部から外側に張り出した作業台上の作業者によって、確実に庇を建物の外壁部分に取り付けることができる。
【００１４】
よって、本発明の庇及び庇の施工方法によれば、従来のように庇の取り付け作業に外部足場やゴンドラ足場を用いる必要がなく、効率的且つ経済的に庇の取り付けを行うことが可能になる。
【図面の簡単な説明】
【００１５】
【図１】本発明の一実施形態に係る庇を示す図である。
【図２】本発明の一実施形態に係る庇の施工方法で用いるはね出し足場装置を示す図である。
【図３】本発明の一実施形態に係る庇の施工方法で用いる庇吊り込み治具を示す図である。
【図４】本発明の一実施形態に係る庇の施工方法において、庇を吊り下すとともに、第１連結支持機構を建物の外壁部分に接続した状態を示す図である。
【図５】本発明の一実施形態に係る庇の施工方法において、第２連結支持機構の第３ブラケットを建物の外壁部分に固着し、庇本体を回動させている状態を示す図である。
【図６】本発明の一実施形態に係る庇の施工方法において、第２連結支持機構の連結ボルトを下方から第３ブラケットに接続した状態を示す図である。
【図７】本発明の一実施形態に係る庇の施工方法において、庇の取り付けを完了した状態を示す図である。
【発明を実施するための形態】
【００１６】
以下、図１から図７を参照し、本発明の一実施形態に係る庇及び庇の施工方法について説明する。ここで、本実施形態は、多層構造の建物の外壁部分に取り付けられる庇の構造及びこの庇を施工する方法に関し、特に外部足場やゴンドラ足場を用いることなく設置可能な庇及び庇の施工方法に関するものである。
【００１７】
本実施形態の庇（庇構造）１は、図１に示すように、例えば、アルミニウム製で平面視略矩形状且つ略平盤状の中空構造で形成された庇本体２と、庇本体２を建物の外壁部分Ｓに接続するための連結支持機構３、４を備えて構成されている。
【００１８】
また、本実施形態の庇１においては、第１連結支持機構３と第２連結支持機構４の２つの連結支持機構を備えている。
【００１９】
第１連結支持機構３は、庇本体２の奥行き方向（建物の外壁Ｓから突出する庇本体２の突出方向／前後方向／横方向Ｔ１）後端２ａから前端２ｂの間の上面２ｃにボルト接続するなどして固着した第１ブラケット５と、建物の外壁部分Ｓに固着される第２ブラケット６と、一端を第１ブラケット５に、他端を第２ブラケット６にそれぞれ、庇本体２の奥行き方向Ｔ１に直交する幅方向（横方向）Ｔ２に延びる回動軸線Ｏ１周りに回動自在に接続して設けられた略棒状の連結部材７とを備えて構成されている。
また、本実施形態では、庇本体２の幅方向Ｔ２に所定の間隔をあけて２つの第１連結支持機構３が設けられている。
【００２０】
さらに、本実施形態の連結部材７は、軸線周りに回動操作（図１中の符号Ｐ１）すると、伸縮（図１中の符号Ｐ２）してその長さが調整できるように構成されている。
【００２１】
第２連結支持機構４は、建物の外壁部分Ｓにボルト接合するなどして固着されるとともに、ボルト挿通孔を設け、且つこのボルト挿通孔にネジ孔を連通させたナット８ａを溶接などして一体に設けてなる第３ブラケット８と、庇本体２の中空部２ｄ内から上面２ｃを形成する天板部２ｅに貫通形成されたボルト挿通孔に挿通し、上方に突出させた軸部９ａを第３ブラケット８のナット８ａに締結させて庇本体２を外壁部分Ｓに連結する連結手段の連結ボルト９と、庇本体２の下面２ｆを形成する底板部２ｇに着脱可能に設けられ、底板部２ｇの後端２ａ側に形成された開口部を開閉する蓋部材１０と、一端を庇本体２の内部に、他端を蓋部材１０に接続し、蓋部材１０の落下を防止するスプリング等の落下防止部材１１とを備えて構成されている。
また、このとき、ゴム座金９ｂを用いることで連結ボルト９の落下防止が図られている。
【００２２】
なお、連結手段は庇本体２の後端２ａ側を第３ブラケット８に接続可能であればよく、必ずしも連結ボルト９に限定しなくてもよい。
【００２３】
また、本実施形態の庇１の庇本体２には、その幅方向Ｔ２の両側端部側に、上面２ｃから上方に突出し、前端２ｂ側から後端２ａ側に延びる水返し１２が取り付けられている。
【００２４】
さらに、庇本体２の前端２ｂ側には、上面２ｃから上方に突出して鳥避けワイヤー支柱１３が取り付けられており、この鳥避けワイヤー支柱１３に支持させて鳥避けワイヤー１３ａが張設されている。
【００２５】
また、本実施形態の庇１においては、上端を建物の外壁部分Ｓに固着し、下端を庇本体２の上面２ｃに固着し、第３ブラケット８やナット８ａ、連結ボルト９を被覆するように水切りカバー１４が設けられている。
【００２６】
さらに、本実施形態の庇１の庇本体２には、第３ブラケット８に当接して建物の外壁Ｓに沿う庇本体２の横方向Ｔ２の位置を規定する位置決め部材３０が庇本体２に一体に設けられている。
【００２７】
そして、上記構成からなる本実施形態の庇１を建物の外壁部分Ｓに設置する際には（本実施形態の庇の施工方法においては）、従来のような外部足場やゴンドラ足場を用いず、図２に示すように、建物の屋内側から窓等の開口部Ｓ１を通じて外側に張り出す作業台１５を備えたはね出し足場装置１６を用いる。
【００２８】
具体的に、本実施形態のはね出し足場装置１６は、車輪（キャスター）１７を備えて走行自在に形成されたローリング足場部１８と、ローリング足場部１８に下端を接続し、上下方向Ｔ３に伸縮自在に設けられた第１ストッパー部１９と、ローリング足場部１８に一端を繋げ、横方向Ｔ１外側に突出して作業台１５を形成する作業台部２０と、作業台部２０が設けられる側で、且つ作業台部２０よりも下方に位置する部分のローリング足場部１８に一端を繋げ、横方向Ｔ１に突設された第２ストッパー部２１とを備えて構成されている。
【００２９】
このはね出し足場装置１６は、ローリング足場部１８の車輪１７により、作業者Ｍがローリング足場部１８を押しながら窓等の開口部Ｓ１から屋外に作業台部２０が張り出すように所定位置に配設される。このとき、第２ストッパー部２１が腰壁等に当接することで、はね出し足場装置１６のオーバーランを防止することができる。また、車輪１７のストッパーを操作して固定するとともに、第２ストッパー部２１が腰壁等に当接していることにより、はね出し足場装置１６を位置決めして保持することができる。
【００３０】
次に、第１ストッパー部１９を伸長し天井面に当接させる。これにより、はね出し足場装置１６を確実に安定した状態で保持することができる。
【００３１】
この状態で作業者Ｍがローリング足場部１８から屋外に張り出した作業台部２０に移動することで、上記の庇１の設置作業が好適に行える。また、例えば、屋内側の柱躯体等に親綱を固定して張設し、安全帯のフックをこの親綱に接続することで、屋外に張り出した作業台１５上での作業時の作業者Ｍの安全を確保することができる。
【００３２】
このようにはね出し足場装置１６を設置した段階で、図１、図２及び図４に示すように、はね出し足場装置１６を使い、作業者Ｍによって第２ブラケット６と、ナット８ａを一体に設けた第３ブラケット８とをそれぞれ、建物の外壁部分Ｓの所定位置にボルトなどを用いて設置する。
【００３３】
これら第２ブラケット６や第３ブラケット８を設置する際には、複数の第２ブラケット６や第３ブラケット８の設置位置となる所定の間隔の目印が予め示された定規を、作業者Ｍが水平にしつつ建物の外壁部分Ｓの所定位置に押し当てる。これにより、定規に示された目印位置に合わせて設置していくだけで、複数の第２ブラケット６や第３ブラケット８を所定の間隔をあけた所定の位置に精度よく設置することができる。
【００３４】
次に、図１、図３及び図４に示すように、クレーン等の揚重機のワイヤー先端に設けられたフック２２に庇吊り込み治具２３を取り付け、この庇吊り込み治具２３を庇１の第１連結支持機構３の第１ブラケット５（吊り孔５ａ）に着脱可能に接続し、庇吊り込み治具２３とともに庇１を吊り下げて所定位置に搬送する。
【００３５】
ここで、本実施形態の庇吊り込み治具２３は、図３に示すように、上端を揚重機のフック２２に接続する吊りロープ２４と、吊りロープ２４の下端に一端を接続した棒状の支持部２５と、支持部２５の他端に一端を接続し、先端に第１ブラケット５の吊り孔５ａに着脱可能に接続するコラムロックなどの接続部２６を備えた吊り部２７と、一端を支持部２５の一端ひいては吊りロープ２４の下端に接続するとともに支持部２５と逆方向に突出し、他端にバランスウェイト２８が設けられたバランス部２９とを備えて構成されている。
【００３６】
このような庇吊り込み治具２３を用いることで、庇１が安定した状態で吊り下げ支持され、建物の外壁部分Ｓに接触するようなことを防止しつつ所定箇所まで庇１を好適に搬送することができる。
【００３７】
そして、図１、図４に示すように、庇１を所定箇所まで吊り下げ搬送した段階で、一端を回動軸Ｏ１周りに回動自在に第１ブラケット５に接続されている連結部材７を回動し、作業者Ｍによってこの連結部材７の他端を第２ブラケット６に回動軸Ｏ１周りに回動自在に接続する。
【００３８】
次に、図１、図５及び図６に示すように、庇本体２を回動させ、また必要に応じてさらに吊り下しながら、庇本体２の後端２ａを建物の外壁Ｓ側に配し、庇本体２を水平の所定方向に、且つ第３ブラケット８の直下の所定位置に配設する。
このとき、庇本体２に設けられた位置決め部材３０を第３ブラケット８に当接させるだけで庇本体２の横方向Ｔ２の位置を位置決めすることができ、容易に庇本体２を水平の所定位置に配設することができる。
【００３９】
次に、図１、図７に示すように、蓋部材１０を庇本体２から取り外し、庇本体２の中空部２ｄからボルト挿通孔を通じて連結ボルト９の軸部９ａを上方に突出させ、この連結ボルト９を第３ブラケット８に一体に設けられたナット８ａに締結させるとともに他のナットを用い、ダブルナットで接続する。このとき、落下防止部材１１に繋がっているため、蓋部材１０が落下するおそれがない。そして、連結ボルト９と第３ブラケット８の接続作業を終えた段階で蓋部材１０を再度庇本体２に取り付ける。
【００４０】
また、このとき、連結部材７を伸縮させることで、庇本体２の姿勢、位置を微調整する。これにより、庇本体２を容易に精度よく配設することができる。
【００４１】
そして、連結部材７と第１ブラケット５、第２ブラケット６を接続するボルトを本締めして連結部材７と第１ブラケット５、第２ブラケット６を（回動不能に）緊結する。
【００４２】
ここで、図４から図６に示すように、本実施形態の庇吊り込み治具２３の吊りコラムロックなどの接続部２６には、回動／固定を操作設置するためのワイヤー３１と、分離するためのワイヤー３２が設けられており、作業者Ｍがこれらワイヤー３１、３２を引っ張り操作することで、接続部２６の回動／固定操作や分離操作が行えるようになっている。
このため、上記のように庇本体２を設置した段階で、図７に示すように、作業者Ｍがワイヤー３２を引っ張ることで、容易に庇本体２から接続部２６ひいては庇吊り込み治具２３を分離することができる。
【００４３】
また、水切りカバー１４を取り付け、シール処理などを施す。
【００４４】
これにより、第１連結支持機構３の斜設された連結部材７、第２連結支持機構４の連結ボルト９等によって、庇１が所定位置に固定して設置され、庇１の設置作業が完了する。
【００４５】
したがって、本実施形態の庇及び庇の施工方法においては、庇本体２に一体に設けた第１ブラケット５、建物の外壁部分Ｓに固着する第２ブラケット６、第１ブラケット５及び第２ブラケット６に回動自在に接続される連結部材７を有してなる第１連結支持機構３と、建物の外壁部分Ｓに固着する第３ブラケット８、この第３ブラケット８に下方から接続する連結ボルト９を有してなる第２連結支持機構４とを備えて庇１が構成されているため、建物の窓等の開口部Ｓ１から外側に張り出した作業台１５上の作業者Ｍによって、確実に庇１を建物の外壁部分Ｓに取り付けることができる。
【００４６】
よって、本実施形態の庇及び庇の施工方法によれば、従来のように庇１の取り付け作業に外部足場やゴンドラ足場を用いる必要がなく、効率的且つ経済的に庇１の取り付けを行うことが可能になる。
【００４７】
以上、本発明に係る庇及び庇の施工方法の一実施形態について説明したが、本発明は上記の一実施形態に限定されるものではなく、その趣旨を逸脱しない範囲で適宜変更可能である。
【００４８】
例えば、はね出し足場装置１６を用い、このはね出し足場装置１６の作業台部２０上の作業者Ｍによって庇１の設置作業（庇１の取付作業）を行い、作業現場の状況に応じ、水切りカバー１４の取り付け、シール処理などの作業はゴンドラなどを用いて行うようにしてもよい。
この場合には、従来よりゴンドラなどの使用時間を大幅に削減することが可能である。また、ゴンドラなどを必要とする他の外壁の各種工事を合わせて施工でき、施工の効率化を図ることが可能になる。
【符号の説明】
【００４９】
１      庇
２      庇本体
２ａ    後端
２ｂ    前端
２ｃ    上面
２ｄ    中空部
２ｅ    天板部
２ｆ    下面
２ｇ    底板部
３      第１連結支持機構
４      第２連結支持機構
５      第１ブラケット
５ａ    吊り孔
６      第２ブラケット６
７      連結部材
８      第３ブラケット
８ａ    ナット
９      連結ボルト（連結手段）
９ａ    軸部
１０    蓋部材
１１    落下防止部材
１２    水返し
１３    鳥避けワイヤー支柱
１３ａ  鳥避けワイヤー
１４    水切りカバー
１５    作業台
１６    はね出し足場装置
１７    車輪（キャスター）
１８    ローリング足場部
１９    第１ストッパー部
２０    作業台部
２１    第２ストッパー部
２２    フック
２３    庇吊り込み治具
２４    吊りロープ
２５    支持部
２６    接続部
２７    吊り部
２８    バランスウェイト
２９    バランス部
３０    位置決め部材
３１    ワイヤー
３２    ワイヤー
Ｏ１    回動軸線
Ｓ      建物の外壁部分
Ｓ１    開口部
Ｔ１    庇の奥行き方向、前後方向、横方向
Ｔ２    庇の幅方向、横方向
Ｔ３    上下方向
Ｍ      作業者
【図１】
0006414671.tif 000002
【図２】
0006414671.tif 000003
【図３】
0006414671.tif 000004
【図４】
0006414671.tif 000005
【図５】
0006414671.tif 000006
【図６】
0006414671.tif 000007
【図７】
0006414671.tif 000008